(57)【要約】【課題】  国際規格で規定されるゲージのピンのばらつきの影響を受けないようにしつつ、コンパクトで組み立て作業性がよい安価なソケットを提供する。【解決手段】  ４つのランプピン挿入孔１２が設けられたソケット本体１１を備えるとともに、ばね性がありランプピンの周面に接触する可動片１３と、ランプピン周りの可動片１３の側方に配置され可動片１３と一体の固定片１４と、固定片１４に設けられソケット本体１１に係止される固定部１５とを有する４つの接触端子１０を備え、接触端子１０がランプビン挿入孔１２内に各々組み込まれる蛍光灯ソケットにおいて、ランプピン挿入孔１２の中心を結んでできる長方形の頂角を２等分する直線と平行になるように固定片１４を配置した。これにより、固定片１４をランプピン挿入孔１２中心から大きく離さなくても、ゲージと実ランプピンの双方に適合させることができる。【選択図】  図１
2005285419.tif 000002
【特許請求の範囲】
【請求項１】
４つのランプピン挿入孔が設けられたソケット本体を備えるとともに、ばね性がありランプピンの周面に接触する可動片と、前記ランプピン周りの前記可動片の側方に配置され可動片と一体の固定片と、前記固定片に設けられ前記ソケット本体に係止される固定部とを有する４つの接触端子を備え、前記接触端子が前記ランプビン挿入孔内に各々組み込まれる蛍光灯ソケットにおいて、前記ランプピン挿入孔の中心を結んでできる長方形の頂角を２等分する直線と平行になるように前記固定片を配置したことを特徴とする蛍光灯ソケット。
【請求項２】
前記固定片の位置を、ランプピン挿入孔の中心を結んでできる長方形の長辺側に配置した請求項１記載の蛍光灯ソケット。
【請求項３】
ＩＥＣ６００６１−３，７００６−７９Ａの受金通りゲージのピンをランプピン挿入孔に挿入したときに、前記固定片の表面を受金通りゲージのピンの表面と正接になる位置に配置した請求項１または２記載の蛍光灯ソケット。
【請求項４】
前記固定片の表面を、ＩＥＣ６００６１−３，７００６−７９の口金通りゲージの孔に対応するランプピン挿入孔に正接になる位置に配置した請求項１または２記載の蛍光灯ソケット。
【請求項５】
前記ランプピン挿入孔は、ランプピン挿入口の奥側に接触端子挿入孔を有し、接触端子と前記接触端子挿入孔の隙間を前記２等分する直線の方向に広げ接触端子を可動にした請求項１，２，３または４記載の蛍光灯ソケット。
【請求項６】
前記固定部が前記接触端子挿入孔に設けた支持部に係止されるとともに、前記支持部の固定部が係止される表面を略球面状にした請求項５記載の蛍光灯ソケット。
【発明の詳細な説明】
【技術分野】
【０００１】
この発明は、環形蛍光灯や片口金コンパクト形蛍光灯など４ピン口金を有する蛍光灯ソケットに関するものである。
【背景技術】
【０００２】
従来の蛍光灯ソケットとして図１１に示すものがある。図１１（ａ）は従来の蛍光灯ソケットの平面図、（ｂ）は（ａ）のＡ−Ａ断面図である。図１１に示すように、ばね性がありランプピンの周面に接触する可動片５０と、ランプピンの周面の可動片５０の側方に配置され可動片５０と一体に形成された固定片５１と、固定片５１に設けられた固定部５２とを有する接触端子５３を４つ、ソケット本体５４に設けられたランプピン挿入孔５５に各々組み込まれて構成されている。隣り合うランプピン挿入孔５５に配置される固定部５２は、同図のように互いに向き合うかもしくは離れ合う位置関係にあった。
【０００３】
また、別の構成方法としては、ソケット本体が複数の部品で構成されており、接触端子はこれらによって挟持されていた。
【０００４】
また、ソケットの熱収縮によりランプピンに食らいついてランプピン挿抜過多の現象に陥ることを防止するランプソケットがある（特許文献１）。この場合、ランプピン挿入孔の径を大きくしてランプピンが相対的に移動できるようにしている。また、ランプピンが接続されるランプピン接続端子の可動片より奥側に固定片がある。
【特許文献１】特開２００３−２４３１１５公報
【発明の開示】
【発明が解決しようとする課題】
【０００５】
ＩＥＣで規定される４ピンソケット用の通りゲージは、図１２に示すように、各ピッチが実ランプで許容されているよりも共に狭いもの（ゲージＢ２）と共に広いもの（ゲージＡ１）の２種類が用意されている。同図はゲージＡ１とゲージＢ２の中心を合わせて重ね合わせた時の状態を示している。つまり実際のランプが通過し得ない領域をゲージのピンが通過していることなる。しかし、接触端子の固定部の背面は必然的にソケット本体と当接することなる。従って固定部は可動することができない。
【０００６】
すなわち、図１１のＢ−Ｂ断面である図１３に示すように、可動片５０は矢印の方向にたわむことができるが、固定部５２と一体の固定片５１の背後に成形品があるためたわむことができない。そのためゲージＡ１が接触する可動片５０はたわむことができるので挿入でき、ゲージＢ２が接触する固定片５１はたわむことができないので挿入不可である。また、図１４に示すように、固定部５２が離れ合う位置関係にすると、ゲージＢ２は挿入できるが、ゲージＡ１は挿入不可となる。
【０００７】
よって図１１のような固定部の配置をとっていると、ゲージおよび実ランプピンのばらつきに対応する際に弊害が生じる。まず固定部を互いに向き合う位置に構成した場合、その間にある絶縁物が薄肉となり強度確保が難しい。逆に離れ合う位置関係にし、ゲージと実ランプピンのばらつきに対応させた場合は、接触端子およびソケット本体の大型化につながってしまう。
【０００８】
以上のように問題の解決策として、上記のようにソケット本体が複数の部品で構成されるものがあるが、部品点数と組み立て工程の増加がコストアップの要因となる。また、特許文献１では、ランプピン挿入孔間ピッチの変化に対応できるものの、固定片が可動片の奥側にあるため全体形状が長くなり小型化できない。
【０００９】
したがって、この発明の目的は、国際規格で規定されるゲージのピンのばらつきの影響を受けないようにしつつ、コンパクトで組み立て作業性がよい安価な蛍光灯ソケットを提供することである。
【課題を解決するための手段】
【００１０】
上記課題を解決するためにこの発明の請求項１記載の蛍光灯ソケットは、４つのランプピン挿入孔が設けられたソケット本体を備えるとともに、ばね性がありランプピンの周面に接触する可動片と、前記ランプピン周りの前記可動片の側方に配置され可動片と一体の固定片と、前記固定片に設けられ前記ソケット本体に係止される固定部とを有する４つの接触端子を備え、前記接触端子が前記ランプビン挿入孔内に各々組み込まれる蛍光灯ソケットにおいて、前記ランプピン挿入孔の中心を結んでできる長方形の頂角を２等分する直線と平行になるように前記固定片を配置した。
【００１１】
請求項２記載の蛍光灯ソケットは、請求項１記載の蛍光灯ソケットにおいて、前記固定片の位置を、ランプピン挿入孔の中心を結んでできる長方形の長辺側に配置した。
【００１２】
請求項３記載の蛍光灯ソケットは、請求項１または２記載の蛍光灯ソケットにおいて、ＩＥＣ６００６１−３，７００６−７９Ａの受金通りゲージのピンをランプピン挿入孔に挿入したときに、前記固定片の表面を受金通りゲージのピンの表面と正接になる位置に配置した。
【００１３】
請求項４記載の蛍光灯ソケットは、請求項１または２記載の蛍光灯ソケットにおいて、前記固定片の表面を、ＩＥＣ６００６１−３，７００６−７９の口金通りゲージの孔に対応するランプピン挿入孔に正接になる位置に配置した。
【００１４】
請求項５記載の蛍光灯ソケットは、請求項１，２，３または４記載の蛍光灯ソケットにおいて、前記ランプピン挿入孔は、ランプピン挿入口の奥側に接触端子挿入孔を有し、接触端子と前記接触端子挿入孔の隙間を前記２等分する直線の方向に広げ接触端子を可動にした。
【００１５】
請求項６記載の蛍光灯ソケットは、請求項５記載の蛍光灯ソケットにおいて、前記固定部が前記接触端子挿入孔に設けた支持部に係止されるとともに、前記支持部の固定部が係止される表面を略球面状にした。
【発明の効果】
【００１６】
この発明の請求項１記載の蛍光灯ソケットによれば、ランプピン挿入孔の中心を結んでできる長方形の頂角を２等分する直線と平行になるように固定片を配置したので、実ランプピンの理論上の全ばらつきを、国際規格であるＩＥＣで規定されている４ピンソケット用の２種類の通りゲージの範囲にあるとした場合にこれに対応できる。すなわち、実ランプピンの理論上の全ばらつきを考慮したときの、ランプピンが通過可能な領域は円状に広がっている。これに対しゲージピンの通過領域は長穴状に広がっており、これらの中心を合わせたとき、ゲージピンの通過領域が突出している部分がある。この長穴の広がり方向と、接触端子の固定片の面を平行にすることで、固定片をランプピン挿入孔中心から大きく離さなくても、ゲージと実ランプピンの双方に適合させることができる。
【００１７】
また、接触端子がランプの２ピンでこじられる場合を考えたとき、固定片が４５°傾いているためこじり力を逃がすことができる。
【００１８】
請求項２では、固定片の位置を、ランプピン挿入孔の中心を結んでできる長方形の長辺側に配置したので、固定片どうしの距離を確保することができ、絶縁距離、絶縁物の強度において有利である。
【００１９】
請求項３では、ＩＥＣ６００６１−３，７００６−７９Ａの受金通りゲージのピンをランプピン挿入孔に挿入したときに、固定片の表面を受金通りゲージのピンの表面と正接になる位置に配置したので、固定片をそのランプピン挿入孔の中心に最も近く配置できる位置関係である。
【００２０】
請求項４では、固定片の表面を、ＩＥＣ６００６１−３，７００６−７９の口金通りゲージの孔に対応するランプピン挿入孔に正接になる位置に配置したので、固定片をそのランプピン挿入孔の中心に最も近く配置できる位置関係である。
【００２１】
請求項５では、ランプピン挿入孔は、ランプピン挿入口の奥側に接触端子挿入孔を有し、接触端子と接触端子挿入孔の隙間を２等分する直線の方向に広げ接触端子を可動にしたので、隙間がゲージピンのばらつき方向に形成される。そのため、接触端子の可動片のばね性が小さくても、接触端子自体がゲージピンに追従してばね限界を超えるのを防止することができる。
【００２２】
請求項６では、固定部が接触端子挿入孔に設けた支持部に係止されるとともに、支持部の固定部が係止される表面を略球面状にしたので、固定部と支持部の接触面積が減少し、請求項５の効果がより得やすくなるのに加え、接触端子の傾きによる追従も可能になる。
【発明を実施するための最良の形態】
【００２３】
この発明の実施の形態を図１〜図１０に基づいて説明する。図１（ａ）は本発明の実施形態の蛍光灯ソケットの平面図、（ｂ）はそのＣ−Ｃ断面図、図２は本発明の実施形態の蛍光灯ソケットの三面図、図３は本発明の実施形態の蛍光灯ソケットの斜視図、図４はその分解斜視図、図５は接触端子の斜視図、図６はその異なる方向から見た斜視図である。
【００２４】
図１等に示すように、接触端子１０が４つ、絶縁物のソケット本体１１に設けられた４つのランプピン挿入孔１２内に各々組み込まれて構成されている。接触端子１０は、ばね性がありランプピンの周面に接触する可動片１３と、ランプピン周りの可動片１３の側方に配置され可動片１３と一体の固定片１４と、固定片１４に設けられた固定部１５とを有する。この場合、図４〜図６に示すように、固定片１４は細長い金属板で、その両側に一対の可動片１３を一体に形成している。可動片１３は固定片１４と基端部で連続し、先端側は固定片１４と分離されることで固定片１４の側方に配置されるとともに、弾性変形により可動する。また、可動片１３は先端にかけて径が細くなるテーパ状にしてランプピンに圧接可能とし、先端はランプピンを挿入する際のガイドとなるように径を広げている。固定部１５は基端側に開くように固定片１４を切り起こして構成されている。また、この接触端子１０の基端部には、固定片１４と一体にリード線１６をかしめて接続する取り付け部１７が形成されている。なお、リード線１６は速結端子や溶接による接続でもよい。
【００２５】
ソケット本体１１は、図１に示すようにランプピン挿入孔１２の中心Ｇを結んでできる長方形の頂角を２等分する直線（直線の方向Ｌ）と平行に固定片１４を配置できるようにした。この場合、ランプピン挿入孔１２は、ランプピン挿入口１８の奥側に接触端子挿入孔１９を有し、その内周面に固定部１５が係止固定される支持部２０が設けてある。固定部１５および固定片１４が上記長方形の各辺と約４５°の角度をなし、この長方形の頂点を通る直線と平行になるように、支持部２０の位置が決められる。支持部２０は段状で接触端子挿入側が傾斜している。接触端子１０が接触端子挿入孔１９から挿入される際、支持部２０によって押し込められた固定部１５が弾性復帰することで支持部２０に係止される。また、固定片１４の位置が、ランプピン挿入孔１２の中心を結んでできる長方形の長辺側に配置されるように支持部２０を設けることが望ましい。これにより、固定部１５どうしの距離を確保することができるので、絶縁距離、絶縁物の強度において有利である。また、接触端子１０がランプの２ピンでこじられる場合を考えたとき、固定部１５が４５°傾いているためこじり力を逃がすことができる。
【００２６】
また、実ランプピンの理論上の全ばらつきを、国際規格であるＩＥＣで規定されている４ピンソケット用の２種類の通りゲージの範囲にあるとした場合にこれに対応できるようにする。すなわち、実ランプピンの理論上の全ばらつきを考慮したときの、ランプピンが通過可能な領域は円状に広がっている。これに対しゲージピンの通過領域は長穴状に広がっており、これらの中心を合わせたとき、ゲージピンの通過領域が突出している部分がある。この長穴の広がり方向と、接触端子１０の固定片１４の面を平行にすることで、固定片１４をランプピン挿入孔１２中心から大きく離さなくても、ゲージと実ランプピンの双方に適合させることができる。なお、理論上と書いたのは、今後どのようなランプが市場に出回るか読めないため、ＩＥＣ規格によりどころを求めれば、口金通りゲージの穴径、穴ピッチが理論上の最大ばらつきとなる。
【００２７】
図７は本発明の実施形態におけるゲージ当たりの説明図で、図１（ｂ）のＤ−Ｄ断面に相当する。
【００２８】
図７に示すように、国際規格のＩＥＣで規定される４ピンソケット用の通りゲージは、各ピッチが実ランプで許容されているよりも共に狭いもの（ゲージＢ２）と共に広いもの（ゲージＡ１）の２種類が用意されている。この治具により上記ばらつきが最大となる限界ランプが挿入できることを確認する。Ｇ１０ｑ受金通りゲージのピンはＩＥＣ６００６１−３，７００６−７９Ａに、Ｇ１０ｑ口金通りゲージの孔はＩＥＣ６００６１−３，７００６−７９に規格されている。
【００２９】
この場合、可動片１３は矢印方向ａにたわむことができるが、固定片１４は固定部１５と一体であり背後に成形品があるためたわむことができない。そのため、ゲージＡ１、ゲージＢ２は固定片１４と接触しないようにし、可動片１３とは接触するがたわむため問題ない。また、ＩＥＣ６００６１−３，７００６−７９Ａの受金通りゲージのピンをランプピン挿入孔１２に挿入したときに、固定片１４の表面を受金通りゲージのピンの表面と正接になる位置に配置する。すなわち、ゲージＡ１、ゲージＢ２と固定片１４か正接になるようにしたとき、ソケットを最も小さく構成することができる。実ランプピンが矢印方向ｂにばらつきゲージＡ１、ゲージＢ２の投影面におさまらない場合は、接触端子１０を矢印方向ｂに平行移動させる必要がある。なお、固定片１４の表面を、ＩＥＣ６００６１−３，７００６−７９の口金通りゲージの孔に対応するランプピン挿入孔１２に正接になる位置に配置してもよい。この場合、固定片１４をそのランプピン挿入孔１２の中心に最も近く配置できる位置関係である。
【００３０】
また、全ての実ランプおよびゲージに対応しつつ最もソケットをコンパクトする方法を示す。すなわち、図８に示すように、ゲージＡ１とゲージＢ２に重なるように仮想ゲージピン２５が設定される。仮想ゲージピン２５は全ての実ランプのばらつきを想定したものであり、ランプ口金の通りゲージのピン挿入孔と同じピッチ径を有する。２６は４個の接触端子の中心であり、受金通りゲージの中心であり、口金通りゲージの中心でもある。中心２６を通る中心線に対し４５°傾斜した固定片１４に仮想ゲージピン２５が正接となるように設定する。
【００３１】
図９は図１（ａ）のＥ−Ｅ断面図である。図９に示すように、ランプピン挿入孔１２は、接触端子１０と接触端子挿入孔１９の隙間をランプピン挿入孔１２の中心を結んでできる長方形の頂角を２等分する直線の方向Ｌに広げ接触端子１０を可動にしている。すなわち、接触端子１０と接触端子挿入孔１９に隙間があるため、方向Ｌ（ゲージピンのピッチばらつき方向）に接触端子１０が追従可能である。接触端子１０の可動片１３のばね性が小さくても、接触端子１０自体がゲージピンに追従してばね限界を超えるのを防止することができる。また、紙面奥行き方向つまり固定部１５の支持部２０に係止される掛かり代方向には隙間を広げていないので、掛かり代ががたつきにより小さくなって接触端子１０の固定が弱くなることはない。
【００３２】
また、図１０（ａ）は本発明の実施形態の蛍光灯ソケットの支持部の他の例を示す断面図、（ｂ）はその作用説明図である。図１０（ａ）に示すように、支持部２０の固定部１５が係止される表面を略球面状にした。これにより、固定部１５と支持部２０の接触面積が減少し、方向Ｌに接触端子１０が動きやすくなる。また、図１０（ｂ）に示すように、固定部１５の傾きによるランプピンへの追従の動きも加わり、より高い効果が得られる。なお、図１０（ｃ）に示すように、支持部２０の固定部１５が係止される表面を多角形状にしてもよい。
【図面の簡単な説明】
【００３３】
【図１】（ａ）は本発明の実施形態の蛍光灯ソケットの平面図、（ｂ）はそのＣ−Ｃ断面図である。
【図２】本発明の実施形態の蛍光灯ソケットの三面図である。
【図３】本発明の実施形態の蛍光灯ソケットの斜視図である。
【図４】図３の分解斜視図である。
【図５】接触端子の斜視図である。
【図６】図５の異なる方向から見た斜視図である。
【図７】本発明の実施形態におけるゲージ当たりの説明図である。
【図８】本発明の実施形態における全ての実ランプおよびゲージに対応しつつ最もソケットをコンパクトする方法の説明図である。
【図９】図１（ａ）のＥ−Ｅ断面図である。
【図１０】（ａ）は本発明の実施形態の蛍光灯ソケットの支持部の他の例を示す断面図、（ｂ）はその作用説明図、（ｃ）は変形例の断面図である。
【図１１】（ａ）は従来の蛍光灯ソケットの平面図、（ｂ）は（ａ）のＡ−Ａ断面図である。
【図１２】ゲージＡ１とゲージＢ２の中心を合わせて重ね合わせた時の状態を示す説明図である。
【図１３】従来例におけるゲージ当たりの説明図である。
【図１４】別の従来例におけるゲージ当たりの説明図である。
【符号の説明】
【００３４】
１  ゲージＡ
２  ゲージＢ
１０  接触端子
１１  ソケット本体
１２  ランプピン挿入孔
１３  可動片
１４  固定片
１５  固定部
１８  ランプピン挿入口
１９  接触端子挿入孔
２０  支持部
【図１】
2005285419.tif 000003
【図２】
2005285419.tif 000004
【図３】
2005285419.tif 000005
【図４】
2005285419.tif 000006
【図５】
2005285419.tif 000007
【図６】
2005285419.tif 000008
【図７】
2005285419.tif 000009
【図８】
2005285419.tif 000010
【図９】
2005285419.tif 000011
【図１０】
2005285419.tif 000012
【図１１】
2005285419.tif 000013
【図１２】
2005285419.tif 000014
【図１３】
2005285419.tif 000015
【図１４】
2005285419.tif 000016